(57)【要約】【課題】より使いやすいユーザーフレンドリーな画像測定装置を提供する。【解決手段】画像測定装置は、レンズの種類または倍率を切り替え可能であって被測定物の画像を取得する画像測定機と、画像測定機で取得された画像を表示するとともにユーザに操作画面を提供する表示部と、画像測定機および表示部の動作を制御する制御部と、を備える。制御部には、レンズの種類または倍率ごとに校正値とその校正値の有効期限とが記録されている。制御部は、校正値の有効期限が切れたレンズまたは倍率があることを表示部にてユーザに伝える。【選択図】図５
2016024213.tif 000002
【特許請求の範囲】
【請求項１】
レンズの種類または倍率を切り替え可能であって被測定物の画像を取得する画像測定機と、
前記画像測定機で取得された画像を表示するとともにユーザに操作画面を提供する表示部と、
前記画像測定機および前記表示部の動作を制御する制御部と、を備えた画像測定装置であって、
前記制御部には、レンズの種類または倍率ごとに校正値とその校正値の有効期限とが記録されており、
前記制御部は、
校正値の有効期限が切れたレンズまたは倍率があることを前記表示部にてユーザに伝える
ことを特徴とする画像測定装置。
【請求項２】
請求項１に記載の画像測定装置において、
前記制御部は、
校正値の有効期限が切れたレンズまたは倍率がユーザによって選択された際に、校正値の有効期限が切れていることをユーザに伝える
ことを特徴とする画像測定装置。
【請求項３】
請求項１または請求項２に記載の画像測定装置において、
前記操作画面には、
前記画像測定機で使用可能なレンズまたは倍率を一覧表示する一覧表示領域と、
前記画像測定機にマウントされているレンズまたは倍率を表示するマウントレンズ表示領域と、が設けられており、
前記制御部は、
前記一覧表示領域に表示されたレンズまたは倍率に対応した画像、記号もしくは文字列がドラッグアンドドロップで前記マウントレンズ表示領域に移動させられたことを検出したら、そのレンズまたは倍率をマウントレンズとして登録し、
さらに、そのレンズまたは倍率の校正値の有効期限が切れている場合には、校正値の有効期限が切れていることをユーザに伝える表示を行う
ことを特徴とする画像測定装置。
【請求項４】
請求項１に記載の画像測定装置において、
前記操作画面には、
前記画像測定機で使用可能なレンズまたは倍率を一覧表示する一覧表示領域と、
前記画像測定機にマウントされているレンズまたは倍率を表示するマウントレンズ表示領域と、が設けられており、
前記制御部は、
校正値の有効期限が切れたレンズまたは倍率がある場合には、前記一覧表示領域において、校正値の有効期限が切れたレンズまたは倍率があることを前記表示部にてユーザに伝える
ことを特徴とする画像測定装置。
【請求項５】
請求項１から請求項４のいずれかに記載の画像測定装置において、
前記表示部上におけるハイライト表示またはメッセージ表示により、校正値の有効期限が切れたレンズまたは倍率があることをユーザに伝える
ことを特徴とする画像測定装置。
【請求項６】
請求項１から請求項５のいずれかに記載の画像測定装置において、
前記表示部にレンズの種類または倍率ごとにサムネイルを表示し、
前記各サムネイルには、
予め用意された基準パターンを各倍率に合わせて大きさ調整した画像、または、現在撮像されている画像を各レンズの倍率に合わせて大きさ調整した画像、を表示する
ことを特徴とする画像測定装置。
【請求項７】
レンズの種類または倍率を切り替え可能であって被測定物の画像を取得する画像測定機と、
前記画像測定機で取得された画像を表示するとともにユーザに操作画面を提供する表示部と、
前記画像測定機および前記表示部の動作を制御する制御部と、を備えた画像測定装置の前記制御部に組み込まれることにより前記表示部の表示制御を行う画像測定装置用GUIプログラムであって、
レンズの種類または倍率ごとに校正値とその校正値の有効期限とを記録した情報を前記制御部から呼び出し、
校正値の有効期限が切れたレンズまたは倍率があることを前記表示部上でユーザに伝える
ことを特徴とする画像測定装置用GUIプログラム。
【発明の詳細な説明】
【技術分野】
【０００１】
本発明は画像測定装置に関する。具体的には、レンズの種類や倍率を切り替えられる顕微鏡を用いた画像測定装置において、ユーザによるレンズ切り替え操作を支援するためのＧＵＩ（グラフィカルユーザインタフェース、ｇｒａｐｈｉｃａｌ  ｕｓｅｒ  ｉｎｔｅｒｆａｃｅ）に関する。
【背景技術】
【０００２】
ワーク（被測定物）１の形状観察や寸法測定を行う画像測定装置が知られている（例えば特許文献１、２）。
図１４に画像測定装置のシステム構成を示す。画像測定装置は、画像測定機２と、制御コンピュータユニット５０と、を具備する。
画像測定機２は、いわゆる顕微鏡と同等である。画像測定機２は、基体部１０と、ステージ１２と、レンズ組立体１７と、CCDカメラ３を有する。
基体部１０は、土台１１と、土台１１から上方へ延びるように立設された支持レール１６と、を有する。
ステージ１２は、ワーク（被測定物）１を載置するためのものであり、Ｘ方向調整ハンドル１３、Ｙ方向調整ハンドル１４及びステージ回転つまみ１５によって、Ｘ方向、Ｙ方向及び回転方向に移動可能となっている。
【０００３】
レンズ組立体１７は、支持レール１６によって上下動可能に支持されている。レンズ組立体１７は、ワーク（被測定物）１と対向する側に、複数の取付け穴を有するレボルバ１８を有し、このレボルバ１８の各取付け穴に対物レンズを着脱できるようになっている。ここでは、レボルバ１８には４つの取付け穴があるとする。レボルバ１８は、電動または手動によって回転し、それによって対物レンズを切り替える。ここでは、互いに倍率が異なる４つの対物レンズ１９ａ，１９ｂ，１９ｃ，１９ｄがレボルバ１８に取り付けられている。
【０００４】
レンズ組立体１７は、その上部に接眼レンズ２０を備え、この接眼レンズ２０と対物レンズ１９ａ〜１９ｄとを正立三眼鏡筒２１を介して光学的に結合するものとなっている。レンズ組立体１７は、ハンドル２２、２３を手動操作することで上下動の調整が可能であるが、電動駆動もできるようになっている。
【０００５】
ＣＣＤカメラ３は、正立三眼鏡筒２１の上部に装着されている。
【０００６】
制御コンピュータユニット５０は、ホストコンピュータ６０と入出力手段７０とを有する。入出力手段７０としては、タッチディスプレイパネル７１と、キーボード７２と、マウス７３と、を有する。
【０００７】
ホストコンピュータ６０は、ＣＰＵとメモリとで構成されたいわゆるコンピュータである。ホストコンピュータ６０は、ＣＣＤカメラ３で取得された画像データを処理して、その結果をタッチディスプレイパネル７１に表示させる。また、ホストコンピュータ６０は、ユーザによる入力操作に応じてレボルバ１８を回転させて対物レンズ（１９ａ〜１９ｄ）を切り替えたり、フォーカス合わせを行ったりする。
【０００８】
さて、画像測定によってワーク（被測定物）の形状観察や寸法測定を行うにあたっては、現に使用しているレンズを特定してホストコンピュータ６０に教示（設定）しなければならない。ホストコンピュータ６０としては、現に使用されているレンズの倍率等が特定されなければ、画像データから寸法を算出することもできないからである。
【０００９】
そこで、レンズ情報を設定入力するための画面として、例えば、図１５のようなＧＵＩ画面がユーザに提供される。このようなＧＵＩ画面はホストコンピュータ６０による表示制御によってタッチディスプレイパネル７１に表示される。ユーザは、タッチディスプレイパネル７１へのタッチ操作またはキーボード入力やマウス操作によってＧＵＩ画面から情報入力や選択操作を行う。
【００１０】
図１５のＧＵＩ画面の構成を概略説明する。図１５のＧＵＩ画面を「レンズ選択画面２００」と称することとする。レンズ選択画面２００には、レボルバ情報表示領域２１０と、レンズ情報表示領域２５０と、が設けられている。レボルバ情報表示領域２１０では、レボルバ１８のどの取付け穴に何のレンズが取り付けられているかを表示する。レボルバ情報表示領域２１０の左側に「Ａ」、「Ｂ」、「Ｃ」、「Ｄ」と縦に並んでいるのはレボルバ１８の各取り付け穴の識別名（２２０）である。もちろんのことながら、レボルバ１８には各取り付け穴の識別名「Ａ」、「Ｂ」、「Ｃ」、「Ｄ」が刻印されるなどにより、取り付け穴の識別名がわかるようになっている。
【００１１】
各識別名の横に各識別名と対応するレンズ名表示枠２３０が設けられている。レンズ名表示枠２３０には、レボルバ１８の取り付け穴に装着されているレンズの名前（種類）が表示される。レンズ名表示枠２３０にはユーザが直接名称を打ち込んでもよく、ドロップダウンリストで提示される一覧からレンズ名を選択してもよい。詳しく図示しないが、各レンズ名表示枠２３０の右端にある下向き三角２３１をクリックすると、ドロップダウンリストとして使用可能なレンズ名一覧が表示されるようになっている。ユーザの手元には様々な種類のレンズがストックされているのが一般的ある。ワークの画像測定を行うにあたって、ユーザは手元にあるレンズストックのなかから画像測定に使用するレンズをいくつか（例えば４つ）選び出し、レボルバ１８の各取り付け穴に取り付けていく。レボルバ１８の各取り付け穴にレンズを取り付けたら、どの取付け穴に何のレンズを取り付けたかをレンズ名表示枠２３０に表示させる。
【００１２】
取付け穴の識別名２２０とレンズ名表示枠２３０との間に各取付け穴の識別名２２０と対応するラジオボタン２４０が設けられている。ラジオボタン２４０のＯＮ状態（穴の中に黒点がある）は、レボルバ１８の各取り付け穴のうちＣＣＤカメラ３に繋がっている取り付け穴を表わし、それはつまり、現に使用されているレンズを示す。ユーザがラジオボタン２４０の選択を切り替えることによって使用するレンズを切り替えることができる。
【００１３】
レンズ情報表示領域２５０には、現に使用されているレンズの情報が表示される。レンズ情報としては、レンズ名（２５１）やシリアル番号（２５２）に加えて、光学性能の情報（２６０）と校正値の情報（２７０）とが表示される。光学性能の情報２６０としては、倍率２６１および開口数２６２がある。校正値の情報２７０としては、一画素あたりの実際の長さ（２７１）や光軸オフセット（光軸の傾き）（２７２）がある。これらの校正値は予め求められ、ホストコンピュータ６０に入力されて記憶されているものである。（詳しく説明しないが、レンズごとの校正値を効率よく求めて設定記憶するためのGUI画面が別途に提供されることがある。）ユーザがレンズを選択すると（ラジオボタン２４０のいずれかをＯＮにすると）、ホストコンピュータ６０はメモリから対応するレンズ校正値を呼び出してレンズ情報表示領域２５０に表示する。
【００１４】
レボルバ１８が電動である場合、レンズ選択に応じてレボルバ１８が自動で回転する。例えば、ユーザが「了解」ボタン２０１を押すと、ラジオボタン２４０で選択されているレンズが使用可能状態になるようにレボルバ１８が自動的に回転する。
【先行技術文献】
【特許文献】
【００１５】
【特許文献１】特許３９１７６５２号公報
【特許文献２】特開２００１−２８１５５４号公報
【発明の概要】
【発明が解決しようとする課題】
【００１６】
画像測定を行うにあたってはレンズに対する校正値が正しく設定されていることが肝要である。校正値が正しくないと、誤った測定値が出力されてしまう恐れがある。従って、各レンズに対する校正値を正しく求めることは当然のことであるが、校正値が常に正しい値を保つように維持管理されていなければならない。
【００１７】
ところで、画像測定装置を使用している場面を考えてみる。
画像測定装置のユーザは、例えば部品加工会社かもしれないし試験研究所かもしれないが、複数人で一つの画像測定装置を共用することが多いであろう。各レンズに対する校正作業は、特定の担当者が総て行う場合もあれば、各使用者がその都度必要に応じて行う場合もあるかもしれないが、校正済みであるかどうか、登録されている校正値が有効なものかどうかが使用者間で分かりにくいという問題は共通して発生する。
レンズ管理ノートのようなものを作成しておけば、その都度ノートをみることで、いつ誰が校正を行ったかはわかるかもしれないが、やはり面倒である。画像測定装置の使い方に十分に習熟していない使用者の場合には、校正値が正しくないレンズを誤って使用してしまう恐れもある。これはユーザ責任の誤操作といえるかもしれないが、誤った測定値に基づいて後段の処理が進んでしまうとユーザにとって好ましくない結果を生むこともあるので、やはりこのような誤操作を未然に防ぐ仕掛けがあれば有益である。
【００１８】
本発明の目的は、より使いやすいユーザーフレンドリーな画像測定装置を提供することにある。より具体的には、より使いやすいユーザーフレンドリーな画像測定装置を実現するための画像測定装置用GUIプログラムを提供することにある。
【課題を解決するための手段】
【００１９】
本発明の画像測定装置は、
レンズの種類または倍率を切り替え可能であって被測定物の画像を取得する画像測定機と、
前記画像測定機で取得された画像を表示するとともにユーザに操作画面を提供する表示部と、
前記画像測定機および前記表示部の動作を制御する制御部と、を備えた画像測定装置であって、
前記制御部には、レンズの種類または倍率ごとに校正値とその校正値の有効期限とが記録されており、
前記制御部は、
校正値の有効期限が切れたレンズまたは倍率があることを前記表示部にてユーザに伝える
ことを特徴とする。
【００２０】
本発明では、
前記制御部は、
校正値の有効期限が切れたレンズまたは倍率がユーザによって選択された際に、校正値の有効期限が切れていることをユーザに伝える
ことが好ましい。
【００２１】
本発明では、
前記操作画面には、
前記画像測定機で使用可能なレンズまたは倍率を一覧表示する一覧表示領域と、
前記画像測定機にマウントされているレンズまたは倍率を表示するマウントレンズ表示領域と、が設けられており、
前記制御部は、
前記一覧表示領域に表示されたレンズまたは倍率に対応した画像、記号もしくは文字列がドラッグアンドドロップで前記マウントレンズ表示領域に移動させられたことを検出したら、そのレンズまたは倍率をマウントレンズとして登録し、
さらに、そのレンズまたは倍率の校正値の有効期限が切れている場合には、校正値の有効期限が切れていることをユーザに伝える表示を行う
ことが好ましい。
【００２２】
本発明では、
前記操作画面には、
前記画像測定機で使用可能なレンズまたは倍率を一覧表示する一覧表示領域と、
前記画像測定機にマウントされているレンズまたは倍率を表示するマウントレンズ表示領域と、が設けられており、
前記制御部は、
校正値の有効期限が切れたレンズまたは倍率がある場合には、前記一覧表示領域において、校正値の有効期限が切れたレンズまたは倍率があることを前記表示部にてユーザに伝える
ことが好ましい。
【００２３】
本発明では、
前記表示部上におけるハイライト表示またはメッセージ表示により、校正値の有効期限が切れたレンズまたは倍率があることをユーザに伝える
ことが好ましい。
【００２４】
本発明では、
前記表示部にレンズの種類または倍率ごとにサムネイルを表示し、
前記各サムネイルには、
予め用意された基準パターンを各倍率に合わせて大きさ調整した画像、または、現在撮像されている画像を各レンズの倍率に合わせて大きさ調整した画像、を表示する
ことが好ましい。
【００２５】
本発明の画像測定装置用GUIプログラムは、
レンズの種類または倍率を切り替え可能であって被測定物の画像を取得する画像測定機と、
前記画像測定機で取得された画像を表示するとともにユーザに操作画面を提供する表示部と、
前記画像測定機および前記表示部の動作を制御する制御部と、を備えた画像測定装置の前記制御部に組み込まれることにより前記表示部の表示制御を行う画像測定装置用GUIプログラムであって、
レンズの種類または倍率ごとに校正値とその校正値の有効期限とを記録した情報を前記制御部から呼び出し、
校正値の有効期限が切れたレンズまたは倍率があることを前記表示部上でユーザに伝える
ことを特徴とする。
【発明の効果】
【００２６】
本発明によれば、より使いやすいユーザーフレンドリーな画像測定装置を提供することができる。
【図面の簡単な説明】
【００２７】
【図１】レンズ情報テーブルの一例を示す図。
【図２】レンズ選択ＧＵＩ画面の構成例を示す図。
【図３】レンズ選択ＧＵＩ画面における操作の一例を示す図。
【図４】レンズ選択ＧＵＩ画面の構成例を示す図。
【図５】レンズ選択ＧＵＩ画面の構成例を示す図。
【図６】レンズ選択ＧＵＩ画面における操作の一例を示す図。
【図７】レンズ選択ＧＵＩ画面における表示バリエーションを示す図。
【図８】レンズ選択ＧＵＩ画面における表示バリエーションを示す図。
【図９】変形例１を示す図。
【図１０】変形例２を示す図。
【図１１】変形例３として、レンズ情報テーブルの例を示す図。
【図１２】変形例３として、レンズ選択ＧＵＩ画面の一例を示す図。
【図１３】変形例４を示す図。
【図１４】画像測定装置のシステム構成を示す図。
【図１５】ＧＵＩ画面の一例を示す図。
【発明を実施するための形態】
【００２８】
（第１実施形態）
本発明の実施形態を図示するとともに図中の各要素に付した符号を参照して説明する。
本発明の第１実施形態を説明する。
第１実施形態として、レンズ選択操作に使用するＧＵＩ画面を図２から図８を参照して説明する。
このＧＵＩ画面をレンズ選択ＧＵＩ画面と称することにする。レンズ選択ＧＵＩ画面は以下に説明するような表示動作を行うものであるが、これらは、ホストコンピュータ６０に格納された画像測定装置用GUIプログラムによって実現される。ホストコンピュータ６０はＣＰＵとメモリとを有し、メモリに格納された画像測定装置用GUIプログラムを実行することでレンズ選択ＧＵＩ画面の表示制御を行うものである。
【００２９】
さて、レンズ選択ＧＵＩ画面の表示動作を説明する前に、表示を行うにあたって必要になるレンズ情報テーブルを説明しておく。図１は、レンズ情報テーブルの一例である。テーブルの左側の欄外に通し番号を打っているのは説明のための便宜であって無くてもよい。テーブルには左から順に「レンズ種類」、「レンズ情報」、「校正値」、「校正者」、「校正日」、「有効期限」が登録できるようになっている。さらに、「レボルバ取付け穴を登録する欄」と、「使用レンズをマークするためのフラグ欄」と、が設けられている。
【００３０】
「レンズ種類」というのは、レンズの名称のこととほぼ同義である。「レンズ情報」というのは、倍率、開口数、SN比など、レンズの光学情報であり、レンズメーカによって提供される情報である。「レンズ種類」および「レンズ情報」については、ユーザの手元のレンズストックにあるレンズの他に、画像測定機２で使用可能なすべてのレンズが登録されていてもよい。
【００３１】
「校正値」は、レンズごとに求められた校正値の情報であり、ここでは、一画素あたりの実際の長さである。校正値を求めるにあたっては、画像測定機２を実際にセットアップし、レボルバ１８に対象のレンズを取り付けた状態で校正作業を行う。校正値が求まったら、その情報をレンズ情報テーブルに登録しておく。この際、合わせて、校正した人の名前、校正を行った日付、を登録し、さらに、校正の有効期限日を登録しておく。
【００３２】
校正というのは定期的に行われなければならず、例えば、一ヶ月ごと、半年ごと、一年ごとに校正が行われなければならない。図１の例では、校正の有効期限を一年としている。なお、上から５番目のレンズが実は有効期限切れになっているとする。（目立つように、図１のテーブル中に丸囲みを付けた。）また、８番目のレンズと９番目のレンズとについては校正値が入っていない。これは例えば次ぎのような場面が想定される。８番目のレンズおよび９番目のレンズは、この画像測定機２で使用可能なレンズであってレンズメーカから販売はされているが、ユーザがこれらのレンズを入手しておらず、したがって校正値がない。
【００３３】
「レボルバ取付け穴を登録する欄」には、どのレンズがどのレボルバ取付け穴にマウントされているかを示す。図１の例では、一番目のレンズが取付け穴Ａにマウントされ、二番目のレンズが取付け穴Ｂにマウントされ、三番目のレンズが取付け穴Ｃにマウントされていることを表わしている。ユーザは、レンズをレボルバ取付け穴に装着（マウント）したら、その旨をレンズ情報テーブルに登録する。この登録操作はレンズ選択ＧＵＩ画面で実行するので、この点は後述する。
【００３４】
「使用レンズをマークするためのフラグ欄」には、現に使用されているレンズを特定するフラグが立つ。ユーザは、使用するレンズを交換したら、その旨をレンズ情報テーブルに登録するが、この登録操作はレンズ選択ＧＵＩ画面で実行するので、この点も後述する。
【００３５】
続いて、第１実施形態にかかるレンズ選択ＧＵＩ画面の表示動作を図２から図８を参照して説明する。
以下の説明が理解しやすいように第１実施形態の特徴的な作用効果を先に二点挙げておく。
ただし、第１実施形態の作用効果がこれに限られないのはもちろんである。
（１）校正値が有効期限切れとなっているレンズをマウントレンズとして登録しようとすると、分かりやすい色（ハイライト）などによりユーザに注意を促す。
これにより校正値が正しくないレンズを測定に使用してしまうという誤操作を未然に防ぐことができる。
（２）各レンズに対応したサムネイル（縮小画像）を表示することにより、各レンズの観察視野が直感的にわかりやすいようにする。
これにより、測定効率が飛躍的に向上することが期待できる。
【００３６】
では具体的に説明していく。
図２は、レンズ選択ＧＵＩ画面３００の構成例である。
図２において、レンズ選択ＧＵＩ画面３００は大きく三つの領域に区切られている。下段の左端領域を「表示形式選択領域３１０」とし、「表示形式選択領域３１０」を除き下段の大半を占める領域を「一覧表示領域３２０」とし、上段を「マウントレンズ表示領域３３０」とする。
【００３７】
表示形式選択領域３１０においては、一覧表示領域３２０における表示形式を選択するための三つのアイコン３１１、３１２、３１３が提示されている。
三つのアイコン３１１、３１２、３１３は縦に並べられており、各アイコンは上から順に、サムネイル一覧形式のアイコン３１１、詳細表示形式のアイコン３１２、簡易表示形式のアイコン３１３、である。図２は、サムネイル一覧形式（３１１）を選択している状態である。したがって、一覧表示領域３２０には、サムネイル一覧が表示されている。なお、詳細表示形式（３１２）を選択すると図７のようになり、簡易表示形式（３１３）を選択すると図８のようになるが、この点のついては後述する。各アイコン３１１、３１２、３１３は、表示形式に合わせてそれぞれ意味が分かりやすい形象をしている。
【００３８】
一覧表示領域３２０には、複数のレンズが一覧形式で示される。ユーザの手元にあるレンズストックの他、メーカにより提供されこの画像測定機２で使用できるレンズの候補が一覧として表示される。つまり、レンズ情報テーブル（図１）に登録されているレンズ種類がすべてこの一覧表示領域に表示されている。一画面ですべてのレンズを表示仕切れない場合には、画面スクロールにて残りのレンズ情報も表示されるようになっている。
【００３９】
図２においてはサムネイル一覧形式（３１１）を選択しているので、サムネイル一覧が表示されている。サムネイル一覧形式にあっては、サムネイル（縮小画像）が表示されるとともに各サムネイルの下にレンズ名が表示される。サムネイルは、レンズの倍率に対応した画像イメージである。サムネイルとして表示する画像としては、予め用意されたパターンを各レンズの倍率に対応する大きさに拡大または縮小したものである。図１の例では、縦横に並んだドット模様を基準パターンとして、各レンズの倍率に合わせて大きさ調整が行われている。このサムネイル（縮小画像）をみれば、レンズ倍率が直感的にわかりやすい。
【００４０】
マウントレンズ表示領域３３０には、レボルバ１８に取り付けられている（マウントされている）レンズが表示される。レボルバ１８には４つの取付け穴「Ａ」、「Ｂ」、「Ｃ」、「Ｄ」があるので、それに対応してマウントレンズ表示領域３３０にも「Ａ」、「Ｂ」、「Ｃ」、「Ｄ」にそれぞれ対応した４つの表示枠が用意されている。さて、画像測定にあたり、ユーザは、手元にあるレンズストックから測定（観察）に使用したいレンズをいくつか選び出してレボルバ１８に取り付ける。ユーザは、レンズをレボルバ取付け穴に装着（マウント）したら、その旨をレンズ情報テーブルに登録する。この登録は、レンズ選択ＧＵＩ画面３００で次のように実行する。例えば、「Ｍ  Ｐｌａｎ  Ａｐｏ  ２ｘ」というレンズを取付け穴「Ａ」にマウントしたとする。ユーザは、一覧表示領域から「Ｍ  Ｐｌａｎ  Ａｐｏ  ２ｘ」を探す。ユーザは、図３に示すように、「Ｍ  Ｐｌａｎ  Ａｐｏ  ２ｘ」のサムネイルをマウントレンズ表示領域３３０の表示枠「Ａ」にドラッグアンドドロップする。
【００４１】
これにより、図３のように、マウントレンズ表示領域３３０の表示枠「Ａ」に「Ｍ  Ｐｌａｎ  Ａｐｏ  ２ｘ」のサムネイルが表示される。同時に、一覧表示領域３２０においては、「Ｍ  Ｐｌａｎ  Ａｐｏ  ２ｘ」が登録済みであることがわかるように、「Ｍ  Ｐｌａｎ  Ａｐｏ  ２ｘ」に強調表示がなされる（図４参照）。強調表示の例としては、「Ｍ  Ｐｌａｎ  Ａｐｏ  ２ｘ」のサムネイルの枠を太くしたり、色を変えたり、さらに、背景色を変えたりすることが挙げられる。そして、レンズ情報テーブル（図１）においては、「Ｍ  Ｐｌａｎ  Ａｐｏ  ２ｘ」に対して、取付け穴「Ａ」にマウントされたことが登録される（図１参照）。
【００４２】
同じようにして、「Ｍ  Ｐｌａｎ  Ａｐｏ  ５ｘ」をレンズ取付け穴「Ｂ」に登録し、「Ｍ  Ｐｌａｎ  Ａｐｏ  １０ｘ」をレンズ取付け穴「Ｃ」に登録した状態が図４である。
【００４３】
さて、ユーザとしてはさらに「Ｍ  Ｐｌａｎ  Ａｐｏ  ５０ｘ」を使用したいと考え、「Ｍ  Ｐｌａｎ  Ａｐｏ  ５０ｘ」をレボルバ１８の取付け穴「Ｄ」にマウントしたとする。そして、一覧表示領域３２０から「Ｍ  Ｐｌａｎ  Ａｐｏ  ５０ｘ」を見つけて、マウントレンズ表示領域３３０の表示枠「Ｄ」にドラッグアンドドロップしたとする。このとき、ホストコンピュータ６０は、ユーザの上記ドラッグアンドドロップ操作を検知したら、マウントレンズ表示領域３３０の表示枠「Ｄ」に「Ｍ  Ｐｌａｎ  Ａｐｏ  ５０ｘ」を表示し、レンズ情報テーブル（図１）の「Ｍ  Ｐｌａｎ  Ａｐｏ  ５０ｘ」に取付け穴「Ｄ」を登録するのであるが、「Ｍ  Ｐｌａｎ  Ａｐｏ  ５０ｘ」は校正の有効期限が切れている。このように校正の有効期限が切れているレンズがマウントレンズ表示領域３３０に登録された場合、期限切れであることを示す強調表示がなされる。強調表示としては、ハイライト表示やメッセージ表示などが例として挙げられる。図５の例では、背景色による強調の他、「使用前に校正してください」というメッセージを表示している。ハイライト表示としては、例えば、記号や文字列の一部を反転表示したり、背景色を他と変えたりして強調表示することなどが例として挙げられる。
【００４４】
ユーザとしては、レボルバ１８にマウントした４つのレンズを切り替えながら測定を実行する。ユーザは、マウントレンズ表示領域３３０に登録されたレンズから使用したいレンズを選択する。例えば、マウントレンズ表示領域３３０に表示されるサムネイルの一つに二回連続でタッチする（図６）。すると、レボルバ１８が電動で自動回転し、選択したレンズが使用可能状態になる。そして、マウントレンズ表示領域３３０においては、現在使用中のレンズであることを示す強調表示がなされる。強調表示としては、背景色を変えることが例として挙げられる。図６では、取付け穴「Ｂ」にマウントした「Ｍ  Ｐｌａｎ  Ａｐｏ  ５ｘ」が使用レンズとして選択された状態を示している。
【００４５】
（表示形式のバリエーションについて）
上記図２から図６では、表示形式としてサムネイル一覧形式を例示した。図７に詳細表示形式の場合の画面レイアウトを例示する。詳細表示形式（３１２）を選択すると、一覧表示領域３２０にはサムネイルに加えて各レンズの詳細情報も並べて表示されるようになる。図７の例では、倍率、開口数、SN比などのレンズ光学情報の他、校正値、校正日、次回の校正予定日が表示されている。次回の校正予定日というのは、レンズ情報テーブルに記録された「有効期限日」と同じである。
【００４６】
また、図８に簡易表示形式の場合の画面レイアウトを例示する。簡易表示形式（３１３）では単にレンズ名が列挙されるというシンプルな画面構成となる。
【００４７】
詳細表示形式（図７）や簡易表示形式（図８）の状態においても、一覧表示領域３２０からドラッグアンドドロップ操作によってマウントレンズ表示領域３３０にレンズを登録できるのはもちろんである。
【００４８】
（変形例１）
上記実施形態においては、一覧表示領域３２０からマウントレンズ表示領域３３０にドラッグアンドドロップ操作でレンズを登録したときに校正の有効期限を反映した表示を行っていた（例えば図５）。この点、変形例１としては、一覧表示領域３２０に表示されている段階で校正値が正しくないレンズについては強調表示を行ってもよい。図９は、一覧表示領域３２０において、「Ｍ  Ｐｌａｎ  Ａｐｏ  ５０ｘ」には強調表示を付けている。これにより、ユーザとしては、校正期限切れになっているレンズがどれとどれなのか一目でわかる。
【００４９】
なお、校正値の有効期限切れのものと、そもそも校正値が入っていないものと、が区別できるようにしてもよい。これは簡単な色分けで実現できるであろう。
【００５０】
（変形例２）
上記第１実施形態においては、予め用意された基準パターンを各レンズの倍率に合わせて大きさ調整した画像をサムネイルに表示していた。変形例２としては、現在撮像している画像を各レンズの倍率に合わせて大きさ調整した画像を各レンズに対応するサムネイルとして表示してもよい。図１０を参照されたい。現在、「Ｍ  Ｐｌａｎ  Ａｐｏ  ５ｘ」を現に使用して歯車を撮像しているとする。この場合、レンズ選択ＧＵＩ画面３００においてマウントレンズ表示領域３３０でも一覧表示領域３２０でも「Ｍ  Ｐｌａｎ  Ａｐｏ  ５ｘ」に対応するサムネイルに現に撮像で取得されている歯車の画像データを表示する。さらに、他のレンズに対応するサムネイルにも歯車の画像データを表示する。すなわち、「Ｍ  Ｐｌａｎ  Ａｐｏ  ５ｘ」で撮像されている画像データを基にして各レンズの倍率に応じた画像をシミュレーションで作成する。そして、シミュレーション結果を各レンズのサムネイルに表示する。これにより、ユーザとしては、レンズを切り替えたときに取得できる画像が直感的にすぐわかる。
【００５１】
（変形例３）
上記実施形態においては、画像測定機２がレボルバ１８に複数種類のレンズを同時にマウントできる場合を前提にしていた。これに対し、一度に一つのレンズしかマウントできない構成の画像測定機ももちろんある。このような場合にも本発明は有効に適用できる。例えば、一つのレンズだけを用い、光学ズームまたはデジタルズームによって倍率を変化させる画像測定機がある。このような場合、倍率ごとに校正値を求めておく必要がある。レンズ種類は同じであるが、倍率ごとに校正値を求め、例えば図１１のようにレンズ情報テーブルに記録しておく。
【００５２】
このようなテーブルを基に例えば図１２のようなレンズ選択ＧＵＩ画面３００をユーザに提供すればよい。一覧表示領域３２０には選択可能な倍率の一覧が表示されている。このなかから使用したい倍率に対応するサムネイルをマウントレンズ表示領域３３０にドラッグアンドドロップによって移動させると、使用倍率を変更できる。校正の有効期限が切れている倍率に対しては、一覧表示領域３２０でハイライトしてもよいし、マウントレンズ表示領域３３０にドラッグされたときにハイライトやメッセージが表示されるようにしてもよい。
【００５３】
（変形例４）
一つのレンズのみマウントできる画像測定機を使用し、光学ズームまたはデジタルズームを使わずに、レンズの付け替えで観察視野を変更するタイプの測定ももちろんある。この場合の画面構成は第１実施形態から容易に類推されるであろう。第１実施形態では４つのレンズをレボルバにマウントできたのに対し、一つずつしかマウントできないと考えればよい。図１３に画面構成の例だけ挙げておく。
【００５４】
なお、本発明は上記実施の形態に限られたものではなく、趣旨を逸脱しない範囲で適宜変更することが可能である。
画像測定装置用GUIプログラムは不揮発性記録媒体に記録され、必要に応じてインストールされてもよい。
【符号の説明】
【００５５】
１…ワーク（被測定物）、２…画像測定機、３…ＣＣＤカメラ、１０…基体部、１１…土台、１２…ステージ、１３…Ｘ方向調整ハンドル、１４…Ｙ方向調整ハンドル、１５…ステージ回転つまみ、１６…支持レール、１７…レンズ組立体、１８…レボルバ、１９ａ，１９ｂ，１９ｃ，１９ｄ…対物レンズ、２０…接眼レンズ、２１…正立三眼鏡筒、２２、２３…ハンドル、５０…制御コンピュータユニット、６０…ホストコンピュータ、７０…入出力手段、７１…タッチディスプレイパネル、７２…キーボード、７３…マウス、３００…レンズ選択ＧＵＩ画面、３１０…表示形式選択領域、３１１、３１２、３１３…アイコン、３２０…一覧表示領域、３３０…マウントレンズ表示領域。
【図１】
2016024213.tif 000003
【図２】
2016024213.tif 000004
【図３】
2016024213.tif 000005
【図４】
2016024213.tif 000006
【図５】
2016024213.tif 000007
【図６】
2016024213.tif 000008
【図７】
2016024213.tif 000009
【図８】
2016024213.tif 000010
【図９】
2016024213.tif 000011
【図１０】
2016024213.tif 000012
【図１１】
2016024213.tif 000013
【図１２】
2016024213.tif 000014
【図１３】
2016024213.tif 000015
【図１４】
2016024213.tif 000016
【図１５】
2016024213.tif 000017